Podtech/llm-jp-corpus-v4-ja_patent huggingface dataset:
(57)【要約】 【課題】光触媒機能体マスクは、陽光からの紫外線が届かない夜間をはじめ雨天時や曇天の空模様では、除菌・防臭作用を十分発揮させることができない不都合がある。【解決手段】マスクの表基材もしくは裏基材あるいは表裏基材両方に無光触媒機能体であるリン酸チタニアを含有させることにより、陽光が必要としないため、陽光の紫外線が届かない夜間をはじめ雨天時や曇天の空模様でも、除菌・防臭作用を十分発揮させることができる。【選択図】  図２
2009233239.tif 000002
【特許請求の範囲】
【請求項１】
リン酸チタニアを綿のタオル地又はガーゼを素材とした基材１、２に含有させたマスク。
【請求項２】
マスクの表基材１もしくは裏基材２に、両方或いはいずれか一方にリン酸チタニアを含有するマスク。
【発明の詳細な説明】
【技術分野】
【０００１】
本発明は、例えば、煙草の煙、粉塵、花粉、ウイルス菌などの人体に対して有害な物質を人体への進入を防止するマスクに関する。
【背景技術】
【０００２】
従来のマスクの殺菌手段としては、呼気抵抗の少ないメッシュ状の表基材と、光触媒機能体を有する中間基材と、吸湿性の素材からなる裏基材とが順次重合されたものが公知になっている。
【０００３】
また、樹脂または金属からなるカップ状の表基材の内側に、光触媒機能体を有する裏基材が設けられているマスクも公知になっている。
【０００４】
いずれのマスクの場合も、光触媒機能体を有する基材によって外部からの花粉やウイルス菌などの有害物質の侵入を防止しようとしている。
【発明の開示】
【発明が解決しようとする課題】
【０００５】
従来の光触媒機能体を含有させたマスクとしては、特開２００５−１２４７７７号に示すように、蛋白質を特異的に吸着するヒドロキシアパタイトの生体親和性に着目して二酸化チタンアパタイトを光触媒としてマスクの表層に付着している。つまり、マスクの光触媒機能体を含有する基材に、紫外線が放射されることによって、紫外線による光触媒反応を起こし、二酸化チタンアパタイトが発生する強力な酸化力により、インフルエンザウイルス、麻疹、水疱瘡、結核などの感染性病原体を分解死滅させるようにしている。この際、光触媒をマスクの表層に付着し、痰、咳、くしゃみなどによりマスク利用者から放出される飛沫を捕捉し易くする工夫を施している。
しかしながら、特開２００５−１２４７７７号のマスクは、快晴の戸外では、除菌・防臭作用を効果的に働かせるものの、陽光からの紫外線が届かない夜間をはじめ雨天時や曇天の空模様では、除菌・防臭作用を十分発揮させることができない不都合がある。
【課題を解決するための手段】
【０００６】
上記課題を解決するために、本発明のマスクは、表基材もしくは裏基材あるいは表裏基材両方に無光触媒機能体であるリン酸チタニアを含有させることにより、陽光が必要としないため、陽光の紫外線が届かない夜間をはじめ雨天時や曇天の空模様でも、除菌・防臭作用を十分発揮させることができる。マスクの製法は、綿のタオル地或いはガーゼの反物にリン酸チタニアに５〜１０％程度にあたるアルコールを混合させた溶液をコンプレッサースプレーする事で基材の深部まで浸透させ、４８時間以上乾燥させた後、裁断縫製によってマスクとする。
【０００７】
マスクの素材に綿を用いることにより、人の肌に直接触れる場合には、肌触り観がよく、また、素材が綿であるため、肌荒れを起こすこともない。
【発明の効果】
【０００８】
耐洗濯性試験において、本発明のマスクを５０回洗濯したとしても９０％以上のリン酸チタニアは剥離せず、含有されたままであるので、除菌・防臭作用を十分発揮させることができる。耐洗濯性試験は下記の方法を参照。
試験方法  ＪＩＳ  Ｌ  １９０２、菌液吸収法
供試菌    黄色ブドウ球菌
洗濯方法  ＪＩＳ  Ｌ  ０２１７、１０３号
【発明を実施するための最良の形態】
【０００９】
本発明の実施例となる図１のマスクは、綿を素材とする布状の表基材１と、裏基材２とを具備し、表基材１もしくは裏基材２、あるいは表基材１と裏基材２の両方に無光触媒機能体が付着含有されて、無光触媒機能体含有部を形成している。なお無光触媒機能体としては、５〜１０％程度のアルコールを含有させたリン酸チタニアを使用する。図中６は紐を示している。
【００１０】
本発明の他の実施例となる図２のマスクは、素材、無光触媒機能体ともに実施例１と同様であるが、表・裏基材１、２にタック３を形成して、形状がカップ状になっている。このため、人の鼻や口に直接接触しないので呼吸しやすい利点がある。
【図面の簡単な説明】
【００１１】
【図１】本発明の実施例となるマスクの一端部を展開した斜視図である。
【図２】本発明の他の実施例となるマスクを示した斜視図である。
【符号の説明】
【００１２】
１    表基材
２    裏基材
３    タック
５    無光触媒機能体含有部
６    紐
【図１】
2009233239.tif 000003
【図２】
2009233239.tif 000004
(57)【要約】【課題】  この発明は、二組の柄をバンドで連係することにより柄をテコとして使用し、柄を両手で操作するだけでふくらはぎにマッサージや指圧を容易に施せるようにした、マッサージ器を提供する。【解決手段】  柄（１）（２）と柄（１）（２）の端側に施療子（３）（４）を設け、柄（１）（２）に取り付け穴（５）（６）を設け、取り付け穴（５）（６）に吊具（７）（８）を装着し、吊具（７）（８）にバンド（９）を取り付け、バンド（９）に面ファスナー（１０）を設けたことを特徴とする。【選択図】図１
2009233305.tif 000002
【特許請求の範囲】
【請求項１】
柄（１）（２）と柄（１）（２）の端側に施療子（３）（４）を設け、柄（１）（２）に取り付け穴（５）（６）を設け、取り付け穴（５）（６）に吊具（７）（８）を装着し、吊具（７）（８）にバンド（９）を取り付けたことを特徴とするマッサージ器。
【請求項２】
バンド（９）に面ファスナー（１０）を設けたことを特徴とする、請求項１記載のマッサージ器。
【発明の詳細な説明】
【技術分野】
【０００１】  この発明は、二組の柄をバンドで連係することにより柄をテコとして使用し、柄を両手で操作するだけでふくらはぎにマッサージや指圧を容易に施せるようにした、マッサージ器に関するものである。
【背景技術】
【０００２】  ふくらはぎのマッサージ機能を有するマッサージ機もあるが、マッサージ機では全ての人の疲労に適したマッサージを施すことは難しい。したがって、自分でマッサージを施すことになるが、腕や指が疲れる。さらに、動力を必要とするマッサージ機は持運びに不向きである。
【発明の開示】
【発明が解決しようとする課題】
【０００３】  これは次のような欠点があった。仕事やスポーツ等によるふくらはぎの疲労度は個人や部位により違いが有るが、従来のマッサージ機ではマッサージ方法が画一的であり、個人の疲労やコリの違いに対応したマッサージは出来ない。
したがって、ふくらはぎに疲労やコリが残ってしまう。
マッサージ機を使用しないでふくらはぎの疲労やコリを取り除く為には自分の手でマッサージを施すが、脚の裏側のふくらはぎは腕や指の扱いも難しく疲れる。
さらに、動力を使用したマッサージ機は重くて持運びには不向きであり、電源も必要となり屋外での使用には適さない。
本発明は、以上のような欠点を無くするためになされたものである。
【課題を解決するための手段】
【０００４】  柄（１）（２）と柄（１）（２）の端側に施療子（３）（４）を設け、柄（１）（２）に取り付け穴（５）（６）を設け、取り付け穴（５）（６）に吊具（７）（８）を装着し、吊具（７）（８）にバンド（９）を取り付け、バンド（９）に面ファスナー（１０）を設ける。
本発明は、以上の構成より成るマッサージ器。
【発明の効果】
【０００５】  本発明のマッサージ器は、バンドで連係された柄を両手で操作するだけで、ふくらはぎの疲労やコリの具合に適したマッサージや指圧を容易に施すことが出来る。
さらに、自分でふくらはぎにマッサージを施すことによる、腕や指の疲労を軽減することができる。
マッサージ器は軽量に作られていて持運びが容易であり、屋外の仕事やスポーツ等でふくらはぎに疲労やコリを感じた時に使用可能である。
動力を必要としない為に、電源も不要である。
【発明を実施するための最良の形態】
【０００６】  以下、この発明の実施をするための最良の形態について図１に基づいて説明すると、柄（１）（２）と柄（１）（２）の端側に施療子（３）（４）を設け、柄（１）（２）に取り付け穴（５）（６）を設け、取り付け穴（５）（６）に吊具（７）（８）を装着し、吊具（７）（８）にバンド（９）を取り付ける。
本発明は、以上のような構造でこれを使用するにあたっては、柄（１）（２）は、取り付け穴（５）（６）と吊具（７）（８）とバンド（９）で連係され、取り付け穴（５）（６）はテコの支点として働く。
マッサージ器の柄（１）（２）を持ち、バンド（９）が脚を覆うように覆設し、施療子（３）（４）をふくらはぎに当てる。
両手で柄（１）（２）を下げるように動かすと、支点の作用により施療子（３）（４）はふくらはぎを押上げるように動く。
したがって、両手で柄（１）（２）を操作するだけで、脚の裏側のふくらはぎにマッサージや指圧を容易に施すことができる。【０００７】  以下、この発明の実施をするための最良の形態について図２に基づいて説明すると、バンド（９）に面ファスナー（１０）を設ける。
本発明は、以上のような構造でこれを使用するにあたっては、バンド（９）に面ファスナー（１０）を設け、面ファスナー（１０）の押し付け位置を移動することにより、バンド（９）の長さ調節が可能となり、ふくらはぎの太さの変化に対応しやすくなる。
【産業上の利用可能性】
【０００８】  この発明のマッサージ器は、製造技術・製造方法、及び、作業性を確立し、携帯可能なマッサージ器を提供することにより、一般消費、及び、産業上の利用可能性を有する。
【図面の簡単な説明】
【０００９】
【図１】この発明における請求項１の発明の一実施例を示し、斜視図である。
【図２】この発明における請求項２の発明の一実施例を示し、斜視図である。
【符号の説明】
【００１０】１，２，          柄
３，４，          施療子
５，６，          取り付け穴
７，８，          吊具
９，              バンド
１０，            面ファスナー
【図１】
2009233305.tif 000003
【図２】
2009233305.tif 000004
(57)【要約】【課題】  総入れ歯は上下とも安定剤を用いても噛む力は増すが、噛むために上下のあごを開く時、又、食物を口に入れるために大きく口を開こうとすると、総入れ歯は脱落する事がしばしばである。それを防ぐために人工の歯を顎の骨に埋め込み、入れ歯が脱落しない方法やマグネットを利用した装置もあるが、大変高価な費用が必要である。普通の人には到底利用できない金額である。本発明は、それらの課題を解決するためのものである。【解決手段】本発明の総入れ歯脱落防止装置を使用することにより、食物を噛む時、大きな口を開く時にも総入れ歯が脱落しないように、唇の筋肉の圧力を利用している総入れ歯の脱落防止装置であり、本発明の総入れ歯脱落防止装置により、総入れ歯の脱落を簡単に解決する事が出来る。【選択図】図６
2009233302.tif 000002
【特許請求の範囲】
【請求項１】
総入れ歯の場合、本発明の総入れ歯脱落防止装置を、上下どちらの総入れ歯にでも装着することで、上下の唇の筋肉が伸びる事による圧力を利用し、総入れ歯脱落防止装置を装着した総入れ歯を自然に押さえ込み、総入れ歯の脱落を防止する総入れ歯脱落防止装置。
【発明の詳細な説明】
【技術分野】
【０００１】本発明は、総入れ歯の場合、総入れ歯脱落防止装置を装着する事により、唇の筋肉の拡張圧力を利用して總入れ歯の脱落を防止することに関するものである。
【背景技術】
【０００２】  従来の総入れ歯は、どのような入れ歯安定剤を使用しても噛む力は増すものの、大さな口を開けた場合やご飯を噛む時、上下の顎が開いた時点で、総入れ歯が脱落する事がしはしばである。安定剤は噛む時のクッションにはなるが、総入れ歯を脱落から防ぐ事は不可能であり、脱落した入れ歯は噛む時に歯ぐきを痛めるため、柔らかい物か流動食しか安心して食べる外は、硬い物を確実に噛んで食べる事は出来なかった。尚、義歯を顎の骨に埋め込み、総入れ歯を安定する方法や、マグネットを埋め込み安定する方法もあるが、大変高価な費用がかかる難点があった。
【発明の開示】
【発明が解決しようとする課題】
【０００３】  そのために、次のような問題点があった。
総入れ歯の場合、大きな口を開けるにも、食物を噛む時に上下の顎を開いた場合も総入れ歯は、どのような入れ歯安定剤を使用しても、脱落し歯ぐきから外れる欠点があった。他に脱落防止装置には高価な装着方法もあるが、本発明は、安価で簡単に装着することが出来るため、以上の欠点となる問題を解決しようとする発明である。
【課題を解決するための手段】
【０００４】  総入れ歯の脱落を防止するために、本発明の柔軟な素材で出来た総入れ歯脱落防止装置を入れ歯に装着する事により、食物をかむ時、大きな口を開ける時、唇の筋肉の圧力を利用して、総入れ歯が脱落する事を防止する手段を持つ特徴を有する装置である。
【発明の効果】
【０００５】  本発明は、総入れ歯に柔軟な素材で出来た、総入れ歯脱落防止装置を装着する事により、食物を噛む時大きな口を開ける時も唇の筋肉の圧力を利用して総入れ歯が歯ぐきから脱落する事を防止する効果があり、従って、本発明により、食物を食べる際、食物を噛む時、大きな口を開け食物を入れる場合も、総入れ歯が脱落する心配がなくなる効果がある。
【発明を実施するための最良の形態】
【０００６】以下、本発明の実施の形態を説明する。
イ  総入れ歯（３）に総入れ歯脱落防止装置（１）を接着剤（２）により貼り付ける。
ロ  総入れ歯（３）に貼り付けられた総入れ歯脱落防止装置（１）により、唇の筋肉が張る方向（５）に働く唇の筋肉の圧力により、総入れ歯脱落防止装置（１）がストッパーの役目をする。
本発明は、以上の構成よりなっている。
本発明は総入れ歯脱落装置（１）を総入れ歯（３）に貼り付けることにより、大きく口を開けた顔の一部分（４）に示すように、唇の筋肉が張る方向（５）、即ち、点線の矢印の方向に筋肉が張り、その圧力が口内を圧するため、総入れ歯に装着された、総入れ歯脱落防止装置（１）が圧迫され、ストッパーの役目をするので、総入れ歯（３）は歯ぐきより脱落することなく、安心して食物を噛み、大きな口を開ける事が出来て、総入れ歯（３）は歯ぐきに密着して使用することが出来る。
【図面の簡単な説明】
【０００７】
【図１】本発明の正面図
【図２】本発明の横面図
【図３】本発明の拡大断面図
【図４】本発明の斜面図
【図５】総入れ歯の図面
【図６】総入れ歯に本発明の装置を装着した図面
【図７】上下唇の筋肉が張る方向を表す図面
【符号の説明】
【０００８】１総入れ歯脱落防止装置
２接着剤
３総入れ歯
４口を開けた顔の一部分
５唇の筋肉が張る方向
【図１】
2009233302.tif 000003
【図２】
2009233302.tif 000004
【図３】
2009233302.tif 000005
【図４】
2009233302.tif 000006
【図５】
2009233302.tif 000007
【図６】
2009233302.tif 000008
【図７】
2009233302.tif 000009
(57)【要約】      （修正有）【課題】汚染粒子を効率よく除去、清浄回収する装置を提供する。【解決手段】汚染粒子−稀ガス流を電極１ａ、１ｂと角度をつけたノズル２ａ、２ｂを通して大気圧プラズマ空間に導入して、電極あるいは電極−ノズル間に設置した絶縁体５ａ、５ｂに衝突させて、粒子６表面の汚染物質を除去あるいは２次粒子の凝集状態にある粒子を衝突させて１次粒子状態にして粒子表面の汚染物質の除去、清浄し、後方に設置したノズルからの稀ガス流による大気圧プラズマで再度、粒子表面の汚染物質を除去、清浄し、清浄効果を向上させ、効率のよい粒子の回収をする。【選択図】図１
2009233482.tif 000002
【特許請求の範囲】
【請求項１】
ノズルから気体を流しながら粒子を大気圧プラズマ空間に導入し、電極あるいは電極−ノズル間に設置した絶縁体との衝突により粒子表面の汚染物質の除去することあるいは２次粒子の凝集状態を解き１次粒子状態にすることの少なくともいずれか１種の方法を加味してプラズマにより粒子表面に付着した汚染物質を除去・清浄する方法。
【請求項２】
請求項１に記載の方法で清浄するときのガスとして空気、酸素、窒素の他に化合物生成を避けるため希ガスであるアルゴン、ヘリウム、キセノンの単体あるいは混合気体を使用する方法。
【請求項３】
請求項１〜２の条件において、ノズルと電極との間に角度をつけて粒子とガスを斜方に噴射し、それによる噴流の後方に角度をつけたガス噴射ノズルを１つあるいは２つ以上設置して大気圧プラズマ清浄の効果を高め、また、回収しやすくする方法。
【請求項４】
請求項１〜２の条件において、ノズルと電極との間に発生した大気圧プラズマでの清浄に影響を与えず請求項２のガスをノズル−電極間に流し、清浄された粒子を回収しやすくする方法。
【発明の詳細な説明】
【技術分野】
【０００１】
本発明は、汚染粒子を大気圧プラズマにより清浄する方法に関する。
【背景技術】
【０００２】
サンドブラス技術によって、砂などの粒子を高速噴流状態にして物質表面を切削加工することができる。この技術は、適切な粒径、基板を選択することにより、切削加工だけでなく付着加工することができる。このような加工において付着されずに反跳する粒子は基板と衝突し、表面汚染される。このようにして粒子が汚染されるだけでなく種々の前処理で物質、分子で汚染される。大気圧状態で、微小隙間を有する平行電極間に高電界を印加させることによりグロー放電状態のプラズマ（電離状態）を電極間に発生させて電極付近にある物質の表面をダメージなしで吸着有機物や無機付着物等を清浄させることができる。
【０００３】
【特許文献１】特開２００５−１０１５３９号公報
【特許文献２】特開２００７−８４９０８号公報
【発明の開示】
【発明が解決しようとする課題】
【０００４】
サンドブラスト技術を応用して粒子噴流体を物質表面に当てて切削加工する装置が製品化されている。粒子径、基板物質条件、噴流状態等を適切に選ぶことにより付着加工をする技術も開発されている。切削加工の場合、アルミナ、酸化ケイ素のような非常に安価な粒子を使用するため粒子は使い捨てしている。付着加工の場合、高価な機能性粒子を使用するため従来のように使い捨てにする方式では、素子等を作製するとき、同技術は優位性が極端に低下する問題を抱えていた。また、微粒子の場合、表面が活性化しているため不要な分子が微粒子表面に吸着している場合が多く、その微粒子の持つ特性が低下するという問題を抱えていた。加工のとき粒子は一度、基板と接触しているため、汚染されておりそのままでは再利用できない、また使用前に既に粒子に汚染物質が吸着している場合は使用できないという問題を抱えていた。粒子は二次粒子を作り易くそのまま粒子を清浄しても二次粒子の内部まで清浄できない、清浄の効率が悪いという問題を抱えていた。また、そのまま清浄回収して再利用するにも回収率が低いという問題を抱えていた。
【課題を解決するための手段】
【０００５】
気体流を利用して粒子流を発生させて大気圧プラズマ状態の空間に粒子流を導入して洗浄し、粒子の汚染を除去して再利用する。その際、気体−粒子流の持つ運動エネルギーにより二次粒子が解れ一次粒子となり効率よく清浄を可能にする。また、ノズルを通して噴射する気体-粒子流を電極に斜方に衝突させ、後方の斜めに設置されているノズルと電極に発生している大気圧プラズマを再度通過させて再度清浄させるので清浄効果を高めることが可能である。さらに、斜方に気体−粒子流および気体流が噴射されるため、一方向に噴流がドリフトするので効率よい清浄粒子回収を可能にする方法を提供するものである。
【発明の効果】
【０００６】
高価な粒子を用いて加工しても効率よく清浄回収することができるので再利用することが可能となる。よって、本発明のシステムにより、噴流粒子を用いた素子作製法の生産性を向上させることが可能になる。
【発明を実施するための最良の形態】
【０００７】
サンドブラスト、パウダージェット付着（ＰＪＤ）法のとき発生する汚染粒子の清浄を行う。
【実施例１】
【０００８】
本発明の方法を実施するための装置全体を図１に示す。
電極１ａ、１ｂに１．２ｋＨｚ、１ｋＶの電圧を印加し、２ａ、２ｂのノズルと５ａ、５ｂの絶縁体との間の距離を３ｍｍとし、１５０ｋＰａの圧力でヘリウムを使いＦｅ３Ｏ４粒子を２ａ、２ｂのノズルから流して粒子を清浄させた。
【実施例２】
【０００９】
オレイン酸に汚染されたＦｅ３Ｏ４粒子（粒径２００ｎｍ〜５００ｎｍ）のＦＴ−ＩＲスペクトルと、図１の装置を使って清浄させたＦｅ３Ｏ４粒子のＦＴ−ＩＲのスペクトルを測定したところ、清浄後、図２示すようにＣＨ２モードとＣＯＯＨモードのスペクトルが消失し清浄効果があることが示された。
【産業上の利用可能性】
【００１０】
マイクロスケールの粒子噴流による切削加工装置はすでに製品化されている。一方、マイクロ・ナノスケールの粒子噴流による付着加工装置は開発段階にある。付着加工では高価な粒子を使用する頻度が多く、回収された粒子を清浄方法がないため、付着加工装置を製品化する上で大きな課題となっている。本発明の装置が付与されることにより製品化されている切削加工用の装置による加工の採算性が向上するばかりでなく、高価な粒子でも付着加工用の装置を使っても採算性がとれるようになり電子部品などの製造装置として製品化されるようになる可能性が非常に高くなる。また、汚染物質が粒子表面に付着した粒子表面を効率よく清浄できるので、電子部品は汚染物質に敏感であり、その製造用粒子の清浄に利用される可能性がある。
【図面の簡単な説明】
【００１１】
【図１】装置の全体図である。
【図２】清浄効果を示す図である。
【符号の説明】
【００１２】
１ａ，１ｂ  電極
２ａ，２ｂ  ノズル
３  ガス流による発生したグロー放電
４  ガスと粒子流と発生したグロー放電
５ａ，５ｂ  絶縁体
６  粒子
７  清浄粒子ストックボックス
【図１】
2009233482.tif 000003
【図２】
2009233482.tif 000004
(57)【要約】【課題】  本発明は、装着者の耳部に装着することにより、その耳部を含めてその目的とする動物の疑似態化を表現させる玩具としての効果を提供する。【解決手段】  本発明は、１の本玩具を２の挿入口より装着者の耳部に挿入し、挿入後、装着孔内の耳部を中心として本玩具上端が装着者の後背面方向にくるよう９０度回転させることにより耳部を含めた本玩具でその目的とする動物を表現し、また本玩具は、本素材に目的とした動物の表示（４，５，６）をすることでその目的とする動物の疑似態化を表現し、３の穴部で耳部に確実に固着することで耳部と本玩具を一体化させて欠落等を防止し、玩具としての効果を発揮すること。【選択図】  図１
2009233112.tif 000002
【特許請求の範囲】
【請求項１】
平面体状軽量柔軟素材(以下、元素材と呼ぶ。)に耳部装着用の挿入口及び装着孔を含めてその目的たる動物の形状に加工し、加工後の元素材(以下、本素材と呼ぶ。)の表面上にその目的たる動物の表示をしたものを装着者の耳部に装着することにより、この耳部を含めてその目的たる動物の疑似態化を表現させることができる、耳部装着動物疑似態玩具。
【請求項２】
本素材の装着孔の内側縁部分に変形部材を取り付け、その装着孔を自在に変形させることにより大きさの異なる耳部に装着することが可能となる、請求項１の耳部装着動物疑似態玩具。
【発明の詳細な説明】
【技術分野】
【０００１】
本発明は、装着者の耳部に装着することにより動物を疑似態化させて表現することを目的とした玩具に関するものである。
【背景技術】
【０００２】
従来のものの場合、素材を取り付けようとする者の耳部に動物自体の耳の部位を型取った素材を取り付けることによってその動物自体を表現させるものであった。
【特許文献１】登録実用新案第３０５３１４２号  公報
【発明の開示】
【発明が解決しようとする課題】
【０００３】
動物を疑似態化させるために、その動物自体の耳の部位を型取った素材をその素材を取り付けようとする者の耳部に簡単に取り付けてその動物自体を表現させる従来の方法では、その目的とする動物自体を確実に認識させることはできないという欠点があり、さらに多少の動作にも欠落すという問題点があった。
【課題を解決するための手段】
【０００４】
本発明は、平面体状軽量柔軟素材(以下、元素材と呼ぶ。)を使用し、その元素材に耳部装着用の挿入口及び装着孔を含めてその目的たる動物の形状に加工し、その加工後の元素材(以下、本素材と呼ぶ。)を使用することで負荷なく長時間耳部装着することができ、更に本素材の表面上にその目的たる動物を表示したもの(以下、本玩具と呼ぶ)を、その装着者の耳部に装着することによりこの耳部を含めてその目的たる動物の疑似態化を確実に表現することが可能となり、従来のものの欠点である装着後にその素材だけではその目的たる動物自体を確実に認識することできないという問題点を解決するものである。
【０００５】
さらに、耳部をその装着する中央穴部の内側縁部分に変形部材を取り付けることで大きさの異なる耳部に合わせて装着孔を自在に変形できるため、従来のもの以上に耳部に固着させて欠落等の問題点を解決することができる。
【発明の効果】
【０００６】
本発明は、装着者の耳部に負担なく長時間に装着して表現することでその効果を得るために元素材を使用して耳部への負担を軽減し、更に本素材に設けた装着孔の内側縁部分に変形可能な部材を取り付けて耳部に固着させ耳部からの欠落防止を図ることで従来のもの以上に長時間の表現を可能にすることができ、またその耳部を含めた本玩具で目的とする動物の疑似態化を確実に表現するこができるという効果があり、本玩具は取り外しも容易にでき、また本玩具は元素材を使用しているため製造及び加工が容易にでき、一度に大量生産が可能であるという更なる効果がある。
【発明を実施するための最良の形態】
【０００７】
本発明は、装着者が本玩具の下部の挿入口より装着孔に届くまで耳部に挿入し、本玩具の上部を装着孔内の耳部を中心にして装着者の後背面方向になるように９０度回転させて耳部に装着させ、その状態において耳部を含めた本玩具でその目的たる動物の疑似態化としての表現を実施をするものである。
【実施例】
【０００８】
以下、添付図面により実施例を説明する。図1は斜視図であり１は豚の表示のある本玩具で、２は挿入口、３は装着孔、４は部豚の耳、５は豚の目、６は豚の足、７は装着者の耳部であり、図２の３ａは変形自在の部材を取り付ける部分をそれぞれ表し(以下、部材番号の数字は省略する。)、図２も斜視図で本玩具を装着者の耳部に挿入口から装着孔まで矢印方向に挿入する挿入前を表し、図３は側面図で装着孔内の耳部を中心にして本玩具上端を装着者の後背方向に９０度矢印方向に回転する前を表し、図４も側面図で、９０度回転後の本玩具の装着者の耳部装着後を表し、図５は斜視図で、装着孔の内側縁部分に変形部材の取り付け位置を斜線で示していて、図６、図７は豚以外の動物の表示した玩具の平面図で、図６は平面図で猪を表示した玩具で、図７も平面図で像を表示した玩具である。
【図面の簡単な説明】
【０００９】
【図１】本玩具の斜視図。
【図２】本玩具を装着者の耳部に挿入する前の斜視図。
【図３】装着孔内の装着者の耳部と本玩具の側面図。
【図４】本玩具の装着者の耳部装着後の側面図。
【図５】装着孔の内側縁部分に変形部材の取り付け位置の斜視図。
【図６】猪を表示した玩具の平面図。
【図７】像を表示した玩具の平面図。
【符号の説明】
【００１０】
１                      本玩具        
２                      挿入口            
３                      装着孔
３ａ                    装着孔の内側縁部分の変形部材の取り付け位置
４                      豚の耳
５                      豚の目
６                      豚の足
７                      装着者の耳部
【図１】
2009233112.tif 000003
【図２】
2009233112.tif 000004
【図３】
2009233112.tif 000005
【図４】
2009233112.tif 000006
【図５】
2009233112.tif 000007
【図６】
2009233112.tif 000008
【図７】
2009233112.tif 000009
(57)【要約】【課題】メンテナンス時に固定下ドラムのリード部に付着した付着物を有効に除去するヘッドカバーの提供を目的とする。【解決手段】回転ドラム装置１００にメンテナンス時に取り付けるヘッドカバー１０１を装着することにより、ヘッド１０４の損傷を防止する。またテーパ形状１０１ａを有することにより、クリーニングパーツ１０６とのクリアランスを確保し、視認性を向上させることにより、固定下ドラム１０５のリード部１０５ｂに付着した付着物を有効に除去できる。【選択図】図１
2009283035.tif 000002
【特許請求の範囲】
【請求項１】
固定上ドラムと外周下端部にヘッドを固定した回転中ドラムとテープ側端をガイドするためのリード部を有する固定下ドラムとを備える回転ドラム装置に対し、前記固定上ドラムに着脱自在に芯だし固定可能なヘッドカバーであって、前記ヘッドカバーは略円筒形状を形成し、前記ヘッドに接触せずかつ前記回転中ドラム全体を覆う高さに設定され、リード部を有する固定下ドラムのリード部に付着した付着物の除去時に使用するクリーニングパーツとヘッドが接触して発生するヘッドの損傷を防止するヘッドカバー。
【請求項２】
前記クリーニングパーツと前記ヘッドカバーとのクリアランスを確保し、かつ上方からの前記リード部の視認性の向上のため、下端部にテーパを形成した請求項１記載のヘッドカバー。
【発明の詳細な説明】
【技術分野】
【０００１】
本発明は、回転ドラム装置のメンテナンス時の作業性改善に関する。
【背景技術】
【０００２】
従来、回転ドラム装置に備えられた回転磁気ヘッドのクリーニング方法としては、例えば特許文献１に開示されたような構成が知られている。また、固定下ドラムのリード部に付着した付着物（テープ走行による磁性粉の付着及び異物等の付着）の除去を行うメンテナンス時には、付着物除去用に専用のクリーニングパーツを使用している。
【特許文献１】特開平７−２９６３４５号公報
【発明の開示】
【発明が解決しようとする課題】
【０００３】
しかしながら上記従来のリード部のメンテナンス方法では、リード部の付着物の除去中にクリーニングパーツとヘッドが誤って接触し、ヘッドの損傷が発生することがあった。
【０００４】
本発明はこのような課題に鑑み、リード部における付着物の除去作業中に、回転磁気ヘッドの損傷を防止することを目的とする。
【課題を解決するための手段】
【０００５】
前記従来の課題を解決するため、本発明のヘッドカバーは、メンテナンス時のみに回転ドラム装置の固定上ドラムに着脱自在な形状とし、ヘッド及びヘッドを固定して回転する回転中ドラムをカバーすることでヘッドの損傷を防止すると共に、ヘッドカバー下端部をテーパ形状とした。
【発明の効果】
【０００６】
リード部のクリーニング時に本発明のヘッドカバーを装着することにより、クリーニング作業中のヘッドの損傷を防止できる。また、下端部にテーパを形成することでクリーニングパーツとヘッドカバーとのクリアランスを確保でき、かつ視認性が向上するため、固定下ドラムのリード部に付着した付着物の除去作業のバラツキを防止することができる。その結果として固定下ドラムのリード部の直線性を確保することができ、長期的に安定した互換性能を保証してフォーマットの信頼性を高めることができる。
【発明を実施するための最良の形態】
【０００７】
以下、本発明を実施するための最良の形態について、図面を参照しながら説明する。
【０００８】
図１は、本発明の実施の形態におけるヘッドカバーを回転ドラム装置に装着した状態を示す図である。図１において、回転ドラム装置１００は、上から順に固定上ドラム１０２、回転中ドラム１０３および固定下ドラム１０５が組み合わされた３層構成となっている。各ドラムは円柱形状で、その中心軸が一致するように配置されている。また、回転中ドラム１０３は、固定上ドラム１０２および固定下ドラム１０５に対して中心軸を中心として回転可能となっており、回転中ドラム１０３の外周下端近傍には磁気ヘッド１０４がひとつまたは複数個備えられている。磁気ヘッド１０４は、回転中ドラム１０３の外周から僅かに突出した状態で固定されている。固定下ドラム１０５は、テープ側端をガイドするためのリード部１０５ｂを有する。
【０００９】
ヘッドカバー１０１は、その内面全体が固定上ドラム１０２の外周部に接するような円筒形状をしている。固定上ドラム１０２の下部の直径は上部（非テープ走行部１０２ａ）に対してわずかに大きく、そのためにこれらの境界部にはわずかな段差がある。この固定上ドラム１０２の形状に合わせて、ヘッドカバー１０１における非テープ走行部１０２ａに対向する内面の内径は、下部に対向する内面の内径よりもわずかに小さくなっている。この段差により、ヘッドカバー１０１を固定上ドラム１０２の上部より挿入すると、固定上ドラムの非テープ走行部１０２ａと下部との段差によりヘッドカバー１０１が固定上ドラム１０２に対して位置決めされ、着脱自在に芯だし固定される。この時に、ヘッドカバー１０１の下端近傍の内面が回転中ドラム１０３に固定され僅かに突出したヘッド１０４と接触しないような直径方向の隙間を有し、かつ回転中ドラム１０３の下端近傍の高さになるようにヘッドカバーの高さ（ヘッドカバー内面の段差からヘッドカバー下端までの長さ）を設定する。このようにすることで、回転ドラム装置１００に装着したときには回転中ドラム１０３の全体が覆われることで、ヘッド１０４が覆われかつ、ヘッド１０４とヘッドカバー１０１とが接触しない状態となる。したがって、固定下ドラム１０５のリード部１０５ｂに付着した付着物の除去作業に使用するクリーニングパーツ１０６とヘッド１０４との接触を防ぎ、ヘッドの損傷を防止することができる。
【００１０】
またヘッドカバー１０１の下端部をテーパ形状１０１ａに形成することにより、クリーニングパーツ１０６による固定下ドラム１０５のリード部１０５ｂの清掃中に、クリーニングパーツ１０６とヘッドカバー１０１とのクリアランスを確保すると共に付着物の除去状態を上方から確認する時の視認性が向上することで、除去作業のバラツキを防止することができる。
【産業上の利用可能性】
【００１１】
本発明にかかる回転ドラム装置のヘッドカバーによれば、メンテナンス時にヘッドカバーを装着し、ヘッドの損傷を防止しつつ固定下ドラムのリード部に付着した付着物の除去作業を行うことで、固定下ドラムのリード部の直線性を確保し、長期的に安定した互換性能の保証ができ、フォーマットの信頼性を高めることになるため、ＨＤ化により狭トラック化及び多ヘッドを搭載するフォーマットの業務用ＶＴＲのメンテナンス用途にも有効である。
【図面の簡単な説明】
【００１２】
【図１】本発明の実施の形態におけるヘッドカバーを回転ドラム装置に装着した状態を示す図
【符号の説明】
【００１３】
１００  回転ドラム装置
１０１  ヘッドカバー
１０１ａ  ヘッドカバー下端のテーパ形状
１０２  固定上ドラム
１０２ａ  固定上ドラムの非テープ走行部
１０３  回転ドラム
１０４  ヘッド
１０５  固定下ドラム
１０５ｂ  固定下ドラムのリード部
１０６  クリーニングパーツ
【図１】
2009283035.tif 000003
(57)【要約】      （修正有）【課題】携帯電話で９６９時間（３．９ボルト）。３０分で充電完了。デジカメで６９時間（９ボルト）。１０分で充電完了。【解決手段】Ｌｉ（ＯＨ）２を燃焼→Ｌｉ＋（個体）。Ｈ２Ｏを水素ガスで燃焼→Ｈ−（液体）。Ｌｉ＋とＨ−を結合。リチウムと水素を１：２の割合で焼成（液体）１００度。電極はＫがプラス、Ｎａがマイナス。電極Ｋの長さで電圧変更できる。１から９ボルト。放電しない。【選択図】なし【特許請求の範囲】
【請求項１】
二次蓄電池
【発明の詳細な説明】
【技術分野】
【０００１】蓄電池
【背景技術】
【０００２】
【特許文献１】
【特許文献２】
【非特許文献１】
【非特許文献２】
【発明の開示】
【発明が解決しようとする課題】
【・・・・】
【課題を解決するための手段】
【・・・・】
(57)【要約】【課題】  電気工事において従来の照明器具及び引掛シーリングの点滅回路用配線の接続は器具本体とは別に設置した電線接続用ボックスで点滅回路の接続をしていたが、電線接続用ボックスを経由せず、器具本体に直接配線をし点滅回路の接続ができるようにする。【解決手段】  照明器具及び引掛シーリング本体に点滅回路用の接続器を設置することにより電線接続用ボックスを経由せず器具本体で点滅回路用電線の接続ができる。【選択図】図１
2009283428.tif 000002
【特許請求の範囲】
【請求項１】
照明器具及び引掛シーリング本体に点滅用配線の電線接続器を取付けたことを特徴とする照明器具及び引掛シーリング。
【請求項２】
照明器具及び引掛シーリング本体に取付けた点滅用配線接続器は取付け取外しが可能とすることもできることを特徴とする照明器具及び引掛シーリング。
【発明の詳細な説明】
【技術分野】
【０００１】  本発明は電気工事で照明器具及び引掛シーリングの点滅用配線の電線接続を器具本体で接続することに関する。
【背景技術】
【０００２】  従来の電気工事では照明器具及び引掛シーリングの点滅は器具本体とは別に設置した電線接続用ボックスで点滅回路の接続する。
【発明の開示】
【発明が解決しようとする課題】
【０００３】  本発明は電気工事において照明器具及び引掛シーリングの点滅回路用電線の接続を接続用ボックスを設置せず点滅回路の接続ができないか。
【課題を解決するための手段】
【０００４】  本発明は電気工事おいて照明器具及び引掛シーリング本体で点滅回路接続ができるように点滅回路用接続器を器具本体に取付けたものである。
【発明の効果】
【０００５】  電気工事の配線作業で照明器具及び引掛シーリング本体に点滅回路用接続器を取付けたことにより別に接続ボックスを設置せず器具本体で点滅用配線の接続ができ配線の簡素化をすることができた。
【発明を実施するための最良の形態】
【０００６】  以下、本発明の実施の形態を図１〜図２に基ずいて説明する。【０００７】  図面１において、従来は電源配線の接続器６Ａ  ６Ｂと送り配線用接続器１Ａ  １Ｂのみで、３のスイッチ配線用接続器を設けることにより５電源配線ケーブルと４スイッチ配線ケーブルを直接器具本体に配線し接続することにより器具の点滅配線を完了することができる。【０００８】  図面２において、９器具本体で８配線接続器台に４スイッチ配線ケーブルと５電源配線ケーブルを配線し接続する。
【図面の簡単な説明】
【０００９】
【図１】本発明の実施形態を示す照明器具及び引掛シーリングの配線図
【図２】照明器具及び引掛シーリングの電線接続台配置図
【符号の説明】
【００１０】１Ａ  送り配線接続器
１Ｂ  送り配線接続器
２    照明電源
３    請求項１  スイッチ配線接続器
４    スイッチ配線ケーブル  ＶＶＦ１．６−２Ｃ
５    電源配線ケーブル  ＶＶＦ１．６−２Ｃ
６Ａ  電源配線接続器
６Ｂ  電源配線接続器
７    照明器具及び引掛シーリング本体
８    配線接続器台
９    請求項１  請求項２  点滅回路配線接続器台
【図１】
2009283428.tif 000003
【図２】
2009283428.tif 000004
(57)【要約】【課題】夏季においては太陽電池モジュールの場合出力低下を抑制し、瓦等の屋根材の場合家屋自体の温度上昇を抑制させ、冬季においては太陽電池モジュールの場合も瓦等の屋根材の場合も融雪を促進させることが可能となるものを提供することを課題としている。【解決手段】太陽電池モジュールもしくは瓦等の屋根材に熱電素子を用いた器具を配置することで夏季はゼーベック効果で吸熱をして発電をおこない、温度上昇で高温になり禁制帯幅が減少することによる太陽電池モジュールの出力低下を抑制し、冬季は熱電素子に電気を通しベルチェ効果で発熱をすることで雪を融かす装置を提供するのであり、本発明で言う太陽電池モジュールとはシリコンやアモルファスを用いたシリコン系、化合物系、有機系等の世界で広く用いられている太陽電池であり、日光による温度上昇した熱をゼーベック効果で吸熱することで、太陽電池モジュールが高温になり禁制帯幅の減少による出力低下を抑制できるのである。【選択図】図１
2009283881.tif 000002
【特許請求の範囲】
【請求項１】
太陽電池モジュールもしくは瓦等の屋根材に熱電素子を用いた器具を配置することで、夏季はゼーベック効果で吸熱して発電を行い、温度上昇による太陽電池の出力低下を抑制し、冬季は熱電素子に電気を通しベルチェ効果で発熱することにより雪を融かすことができる用途をひらくことができる装置。
【発明の詳細な説明】
【技術分野】
【０００１】太陽電池モジュールもしくは瓦等の屋根材に熱電素子を用いた器具を配置することで、夏季はゼーベック効果で吸熱をして発電を行い、温度上昇による太陽電池の出力低下を抑制し、冬季は熱電素子に電気を通しベルチェ効果で発熱をすることで雪を融かすことができる用途をひらくことができる装置に関するものである。
【背景技術】
【０００２】従来、太陽電池モジュールは夏季は日光による温度上昇で高温になり禁制帯幅が減少することで出力低下が起こることがあり、瓦等の屋根材でも日光による温度上昇で家屋自体の温度を上昇させ、冬季は太陽電池モジュール上に雪が積もり発電できない、瓦等の屋根材も雪が積もっても気温の上昇または除雪するまでは雪が積もったままになる状態であった。
【発明の開示】
【発明が解決しようとする課題】
【０００３】本発明は上記事情を鑑みたものであり、夏季においてはゼーベック効果で吸熱をして発電することで太陽電池モジュールの場合出力低下を抑制し、瓦等の屋根材の場合もゼーベック効果で吸熱し発電することで家屋自体の温度上昇を抑制させ、冬季においては太陽電池モジュールの場合も瓦等の屋根材の場合も熱電素子に電気を通すことによりベルチェ効果で発熱することで融雪を促進させることが可能となる装置を提供することを課題としている。
【課題を解決するための手段】
【０００４】太陽電池モジュールもしくは瓦等の屋根材に熱電素子を用いた器具を配置することで夏季はゼーベック効果で吸熱をして発電をおこない、温度上昇で高温になり禁制帯幅が減少することによる太陽電池モジュールの出力低下を抑制し、冬季は熱電素子に電気を通しベルチェ効果で発熱をすることで雪を融かす装置を提供するのであり、本発明で言う太陽電池モジュールとはシリコンやアモルファスを用いたシリコン系、化合物系、有機系等の世界で広く用いられている太陽電池であり、日光による温度上昇した熱をゼーベック効果で吸熱することで、太陽電池モジュールが高温になり禁制帯幅の減少による出力低下を抑制できるのである。【０００５】本発明で言う熱電素子は、ゼーベック効果、ベルチェ効果、トムソン効果といった熱と電気を関係づける現象を利用した素子のことであり、夏季においてはゼーベック効果により発電を行い、冬季はベルチェ効果による発熱を行うのであって、太陽電池モジュールもしくは瓦等の屋根材に配置するのである。
【発明の効果】
【０００６】以上の如く説明したように、本発明である熱電素子による発電・発熱を活用する装置は、太陽電池モジュールもしくは瓦等の屋根材に熱電素子を用いた器具を配置することで、太陽電池モジュールの場合にはゼーベック効果により吸熱して発電することで夏季の日光による温度上昇で高温になり禁制帯幅が減少することで出力低下が起こることを抑制でき、瓦等の屋根材でも夏季は吸熱して発電することができ、冬季には熱電素子に電気を流してベルチェ効果による発熱することで、太陽電池モジュール上に雪が積もり発電できない、瓦等の屋根材も雪が積もったままになる状態を抑制することが可能となるのである。
【発明を実施するための最良の形態】
【０００７】以下、本発明に係る太陽電池モジュールもしくは瓦等の屋根材に熱電素子を用いた器具を配置することによる発電・発熱を活用する装置の実施形態について図面を参照して説明する。
【実施例】
【０００８】本発明を図１に示す実施例に基づいて詳細に説明する、図１は熱電素子による発電・発熱を活用する装置における説明図であり、図中の１で示した点線で囲まれた部分が本発明における請求項の範囲であり、それは太陽電池モジュールもしくは瓦等の屋根材２に熱電素子３が配置され、夏季の場合太陽光の熱１１が太陽電池モジュールもしくは瓦等の屋根材２に配置された熱電素子３でゼーベック効果によって発電され、電流１２となり、冬季の場合電流２１によって熱電素子がベルチェ効果による発熱２２をするのである。
【産業上の利用可能性】
【０００９】以上の如く説明したように、本発明は太陽電池モジュールの高温による出力低下を抑制する、もしくは瓦等の屋根材の利用分野を拡大させるといった分野に有用である。
【図面の簡単な説明】
【００１０】
【図１】熱電素子を配置して発電・発熱を活用する装置の説明図である。
【符号の説明】
【００１１】１    本発明の請求項の範囲
２    太陽電池モジュールもしくは瓦等の屋根材
３    熱電素子
１１  太陽光
１２  吸熱し発電されて発生した電流
２１  熱電素子に流される電流
２２  熱電素子からの発熱
【図１】
2009283881.tif 000003
(57)【要約】【課題】    コードブッシュ端から出ている電線コードが、定位置で極端に折れ曲らない断線防止コードブッシュを提供する。【解決手段】    プラグ（１）の一端に（２）コードブッシュを設け、電線コード被ふく内部での断線防止を特徴とする。【選択図】図１
2009302026.tif 000002
【特許請求の範囲】
【請求項１】
プラグ（１）の一端に（２）を設けた断線防止コードブッシュ。
【発明の詳細な説明】
【技術分野】
【０００１】  この発明は、電線コードが一定箇所で極端に折れ曲らないようにし、断線、ショートを防ぐ構造にした、断線防止コードブッシュに関するものである。
【背景技術】
【０００２】  従来、プラグコードブッシュ端から出ている電線コードは、プラグ根元及び電気機器本体から出ているコードブッシュの端が厚く、固いため、直接プラグ根元から電線コードが出ているのと大差なく、電線コードが極端に折れ曲るので、被ふく内部での断線は避けられない構造であった。
【発明の開示】
【発明が解決しようとする課題】
【０００３】  これには次のような欠点があった。
（イ）従来、プラグ根本のコードブッシュには、切り込みが入っているものの、一定箇所で曲るのを防ぐ構造になっていないのが大半である。
（ロ）プラグ根元のコードブッシュは、電線コードが出ている箇所の切り口が太いままの状態で厚く、固く、しなやかに曲らず、電気機器本体の移動を頻繁に繰り返すたびに、一定箇所で極端に折れ曲り、電線コードの被ふく内部での断線、ショートの危険があった。
本発明は、以上のような欠点をなくすためになされたものである。
【課題を解決するための手段】
【０００４】  プラグ根元のコードブッシュは、根元は太く、徐々に薄く電線コードに密着させる事により、一定箇所で極端に折れ曲るのを防ぐ事ができ、断線しない構造にしたものである。
本発明は、以上の構成よりなる断線防止コードブッシュである。【０００５】（イ）電線コードが一定箇所で極端に折れ曲らないため、被ふく内部での断線がなく、長期間の使用が可能となるものである。
【発明を実施するための最良の形態】
【０００６】  以下、本発明を実施するための最良の形態について設明する。
プラグ（１）の根元から出ている（２）コードブドブッシュは、プラグ根元は太く、徐々に薄く電線コードに密着させる。
本発明は、以上のような構造である。これにより一定箇所で曲らないため、被ふく内部での断線を防ぐ事ができるものである。
【図面の簡単な説明】
【０００７】
【図１】  本発明の斜視図である。
【図２】  本発明の断面図である。
【符号の説明】
【０００８】１    プラグ
２    コードブッシュ
【図１】
2009302026.tif 000003
【図２】
2009302026.tif 000004
(57)【要約】【目的】  コンセントの栓刃をテーブルタップ等の刃受けから離脱させるとき、コンセントとテーブルタップ等の中間にプラスチック製離脱板を挟んでおき、プラスチック製離脱板の左右両端のプッシュ板を上方向から押さえると、梃子の原理で中央部が上方向に持ち上げられて、わずかな力でコンセントの栓刃をテーブルタップ等の刃受けから持ち上げて離脱することができる。【構成】本発明はプラスチック成型品１部品で構成されている。この１部品で、梃子の原理でコンセントをテーブルタップ等から簡単に離脱できることを可能にしたコンセント離脱板である。【選択図】図１
2009302027.tif 000002
【特許請求の範囲】
【請求項１】
コンセントの栓刃をテーブルタップ等の刃受けから離脱させるとき、
コンセントとテーブルタップ等の中間にプラスチック製離脱板を挟んでおき、
プラスチック製離脱板の左右両端を上方から押さえると、中央部が上方向に持ち上げれて、梃子の原理で、わずかな力でコンセントをテーブルタップ等から持ち上げて、
離脱することができるコンセント離脱板。
【発明の詳細な説明】
【技術分野】
【０００１】本発明は、テーブルタップ等の刃受けからコンセントの栓刃を離脱するとき、
強い力を必要とせずに、プラスチック製のコンセント離脱板の左右両端を上方から押さえることによりコンセントの栓刃を離脱することのできるコンセント離脱板に関するものである。
【背景技術】
【０００２】従来は、テーブルタップ等の刃受けからコンセントの栓刃を離脱するときは、コンセントのボディを掴んで引っ張っているが、刃受けのグリップ力が強いときは、なかなか離脱できず苦労している。【０００３】そのため、楽に離脱しようとしてコンセントについている電線を引っ張って離脱している。
そのため、繰り返しコンセントについている電線を引っ張って離脱していると、コンセントの栓刃と電線を接続している部分が切断したり、電線の被覆が破損して中の電線が露出して漏電事故を起こしてしまう。
【発明の開示】
【発明が解決しようとする課題】
【０００４】解決しようとする問題点は、従来のテーブルタップ等の刃受けからコンセントの栓刃を離脱するとき、固くて離脱しにくく、コンセントを引っ張らずに、コンセントについている電線を引っ張って離脱していることが多く、これを繰り返していると、コンセントの栓刃と電線を接続している部分が切断したり、電線の被覆が破損して中の電線が露出して、漏電火災事故の発生することが多いのが現状です。
【課題を解決するための手段】
【０００５】本発明は、コンセントの栓刃をテーブルタップ等の刃受けから離脱させる手段として、コンセントとテーブルタップ等の中間にプラスチック製離脱板を挟んでおき、プラスチック製離脱板の左右両端を上方から押さえることにより、梃子の原理でプラスチック製離脱板の中央部が上方に持ち上げられ、わずかな力でコンセントの栓刃をテーブルタップ等の刃受けから離脱できる。
【作用】
【０００６】以上のように構成された本発明は、コンセントの電線を引っ張って、テーブルタップ等の刃受けからコンセントの栓刃を離脱することが無くなるので、コンセントの栓刃と電線を接続している部分が切断されることが防止でき、電線の被覆が破損して中の電線が露出して感電事故とか漏電火災事故が防止できる。
【０００７】又、極めて低コストであり、経済的な負担が少なく、簡単に入手できる。
【０００８】さらに、コンセント離脱板の上面にコンセントと接続されている電気製品の名前を記入しておくと、不要となった電気製品のコンセントを離脱するとき、コンセントの選別が即座にできるので非常に便利である。
【実施例】
【０００９】本発明の実施例を図面に基ずいて説明する。
図１は本発明のコンセント離脱板の構成図で、離脱板１、プッシュ板２、中央分離部３、栓刃差込用穴４、栓刃５、コンセント６、電線７、栓刃差込用穴８、テーブルタップ９、電源スイッチ１０、ヒンジ１１、刃受け１２、給電板１３、とから構成されている。【００１０】ここで、図１について詳細に説明する。
図１はコンセント離脱板の構成を示す図で、離脱板１の栓刃差込用穴４にコンセント６の栓刃５を差し込み、離脱板１を中間に挟み込むように、コンセント６の栓刃５をテーブルタップ９の栓刃差込用穴８に差し込み、テーブルタップ９の内部に設置されている刃受け１２に栓刃５の先端部から押し込まれてセットが完了します。【００１１】図２はコンセント６がテーブルタップ９にセットされた状態を示す図である。【００１２】図３は図１とおなじでコンセント６をテーブルタップ９にセットする前の状態を示す図である。【００１３】図４は図２とおなじでコンセント６をテーブルタップ９にセットされた状態を示す図である。【００１４】図５は離脱板１の左右両端のプッシュ板２を上方から押さえて、離脱板の中央分離部３が梃子の原理で上方に持ち上げられ、刃受け１２から栓刃５を離脱された状態を示す図である。
【発明の効果】
【００１５】以上のように構成された本発明のコンセント離脱板は老人でも、女性でも、子供でも、誰にでも簡単に、少しの力でテーブルタップからコンセントを離脱できることはすばらしいことである。
【００１６】又、感電事故や漏電火災事故を防止できることは大切なことである。
【図面の簡単な説明】
【００１７】
【図１】本実施例のコンセント離脱板の構成を示す図である。
【図２】本実施例の離脱板をコンセントとテーブルタップの中間に挟んで、セットされた状態を示す図である。
【図３】本実施例のコンセント、離脱板及びテーブルタップがセットされる前の状態を示す図である。
【図４】本実施例の離脱板をコンセントとテーブルタップの中間に挟んで、セットされた状態を示す図である。
【図５】本実施例の離脱板によりコンセントがテーブルタップから離脱された状態を示す図である。
【符号の説明】
【００１８】    １．離脱板
２．プッシュ板
３．中央分離部
４．栓刃差込用穴
５．栓刃
６．コンセント
７．電線
８．栓刃差込用穴
９．テーブルタップ
１０．電源スイッチ
１１．ヒンジ
１２．刃受け
１３．給電板
【図１】
2009302027.tif 000003
【図２】
2009302027.tif 000004
【図３】
2009302027.tif 000005
【図４】
2009302027.tif 000006
【図５】
2009302027.tif 000007